(57)【要約】【課題】輝度が改善された立体映像表示装置を提供する。【解決手段】本発明の立体映像表示装置は、左眼イメージデータと右眼イメージデータとが交互に入力される表示装置と、左眼シャッター及び右眼シャッターを有するシャッターガラスとを備え、左眼シャッターが閉じている左眼イメージデータの入力区間前又は右眼シャッターが閉じている右眼イメージデータの入力区間前にホワイトイメージデータの入力区間が位置する。【選択図】図１
2011164613.tif 000002
【特許請求の範囲】
【請求項１】
左眼イメージデータと右眼イメージデータとが交互に入力される表示装置を備え、
前記左眼イメージデータの入力区間前又は前記右眼イメージデータの入力区間前にホワイトイメージデータの入力区間が位置することを特徴とする立体映像表示装置。
【請求項２】
前記立体映像表示装置は、左眼シャッター及び右眼シャッターを有するシャッター部材を更に備え、
前記ホワイトイメージデータの入力区間と、前記左眼イメージデータの入力区間及び前記右眼イメージデータの入力区間とは、前記左眼シャッター及び前記右眼シャッターが閉じている区間に位置することを特徴とする請求項１に記載の立体映像表示装置。
【請求項３】
前記左眼シャッターは前記左眼イメージデータの入力が完了してから、且つ前記右眼シャッターは前記右眼イメージデータの入力が完了してから第１の時間が経過した後に開くことを特徴とする請求項２に記載の立体映像表示装置。
【請求項４】
前記表示装置は液晶物質を更に含み、
前記第１の時間は前記液晶物質の応答時間に基づいて設定されることを特徴とする請求項３に記載の立体映像表示装置。
【請求項５】
前記左眼イメージデータの入力区間と前記右眼イメージデータの入力区間との間において、前記左眼シャッター及び前記右眼シャッターのうちのいずれか一方が開いており、他方が閉じていることを特徴とする請求項３に記載の立体映像表示装置。
【請求項６】
前記表示装置は複数のゲート線及び複数のデータ線を更に備え、
前記複数のゲート線のうちの少なくとも一部は第１の水平周期中にゲートオン電圧が印加され、前記複数のデータ線は前記ホワイトイメージデータに対応する電圧が印加されることを特徴とする請求項１に記載の立体映像表示装置。
【請求項７】
前記複数のゲート線のうちの少なくとも一部は第２の水平周期中にゲートオフ電圧が印加されることを特徴とする請求項６に記載の立体映像表示装置。
【請求項８】
前記複数のゲート線のうちのいずれか１本のゲート線は第３の水平周期中にゲートオン電圧が印加され、前記複数のデータ線は前記左眼イメージデータ又は前記右眼イメージデータに対応する電圧が印加されることを特徴とする請求項７に記載の立体映像表示装置。
【請求項９】
前記表示装置はゲート線及びゲート駆動部を更に備え、
前記ゲート駆動部は基板上に集積されることを特徴とする請求項１に記載の立体映像表示装置。
【請求項１０】
前記ゲート駆動部は、第１のスキャン開始信号線及び該第１のスキャン開始信号線に接続される第１のスイッチング素子を備えることを特徴とする請求項９に記載の立体映像表示装置。
【請求項１１】
前記第１のスイッチング素子の入力電極及び制御電極は前記第１のスキャン開始信号線に接続され、前記第１のスイッチング素子の出力電極は前記ゲート線に接続されることを特徴とする請求項１０に記載の立体映像表示装置。
【請求項１２】
前記表示装置は複数のゲート線及び複数のデータ線を更に備え、
前記複数のゲート線のうちの少なくとも一部は第１の水平周期中に前記第１のスキャン開始信号線からのゲートオン電圧が印加され、前記複数のデータ線は前記ホワイトイメージデータに対応する電圧が印加されることを特徴とする請求項１０に記載の立体映像表示装置。
【請求項１３】
前記ゲート駆動部は、電圧信号線及び第２のスキャン開始信号線と、該電圧信号線及び第２のスキャン開始信号線に接続される第２のスイッチング素子とを備えることを特徴とする請求項１０に記載の立体映像表示装置。
【請求項１４】
前記第２のスイッチング素子の入力電極は前記電圧信号線に接続され、前記第２のスイッチング素子の制御電極は前記第２のスキャン開始信号線に接続され、且つ前記第２のスイッチング素子の出力電極は前記ゲート線に接続されることを特徴とする請求項１３に記載の立体映像表示装置。
【請求項１５】
前記表示装置は複数のゲート線及び複数のデータ線を更に備え、
前記複数のゲート線のうちの少なくとも一部は第２の水平周期中に前記電圧信号線からのゲートオフ電圧が印加されることを特徴とする請求項１３に記載の立体映像表示装置。
【請求項１６】
前記ゲート駆動部は、電圧信号線及び第２のスキャン開始信号線と、該電圧信号線及び第２のスキャン開始信号線に接続される第２のスイッチング素子とを備えることを特徴とする請求項９に記載の立体映像表示装置。
【請求項１７】
前記表示装置は複数のゲート線及び複数のデータ線を更に備え、
前記複数のゲート線のうちの少なくとも一部は第２の水平周期中に前記電圧信号線からのゲートオフ電圧が印加されることを特徴とする請求項１６に記載の立体映像表示装置。
【請求項１８】
前記ゲート駆動部は前記ゲート線の一端に接続される複数のステージを備え、
前記ステージは、第１の入力端子、第２の入力端子、出力端子、及び伝達信号出力端子を備え、
前記複数のステージのうちの少なくともいずれか一つの第１の入力端子は他のステージの伝達信号出力端子に接続され、出力端子は他のステージの第２の入力端子に接続されることを特徴とする請求項９に記載の立体映像表示装置。
【請求項１９】
前記ステージは、入力部、プルアップ駆動部、プルダウン駆動部、出力部、及び伝達信号生成部を備えることを特徴とする請求項１８に記載の立体映像表示装置。
【請求項２０】
前記入力部、前記プルダウン駆動部、前記出力部、及び前記伝達信号生成部は第１のノードに接続されることを特徴とする請求項１９に記載の立体映像表示装置。
【発明の詳細な説明】
【技術分野】
【０００１】
本発明は、立体映像表示装置に関する。
【背景技術】
【０００２】
一般に、３次元映像表示技術では、近距離で立体感を認識する最大な要因である両眼視差（ｂｉｎｏｃｕｌａｒ  ｐａｒａｌｌａｘ）を利用して物体の立体感を表現する。即ち、左目（左眼）と右目（右眼）にはそれぞれ異なる２次元映像が映り、左眼に映る映像（以下、「左眼映像（ｌｅｆｔ  ｅｙｅ  ｉｍａｇｅ）」と称する。）と右眼に映る映像（以下、「右眼映像（ｒｉｇｈｔ  ｅｙｅ  ｉｍａｇｅ）」と称する。）が脳に伝達されると、左眼映像と右眼映像は脳で融合されて奥行き知覚（ｄｅｐｔｈ  ｐｅｒｃｅｐｔｉｏｎ）を有する３次元映像として認識される。
【０００３】
立体映像表示装置は、両眼視差を利用するものであり、シャッターガラス（ｓｈｕｔｔｅｒ  ｇｌａｓｓｅｓ）、偏光眼鏡（ｐｏｌａｒｉｚｅｄ  ｇｌａｓｓｅｓ）などの眼鏡を利用する眼鏡式（ｓｔｅｒｅｏｓｃｏｐｉｃ）方法と、眼鏡を利用せずに表示装置にレンチキュラーレンズ（ｌｅｎｔｉｃｕｌａｒ  ｌｅｎｓ）、パララックスバリア（ｐａｒａｌｌａｘ  ｂａｒｒｉｅｒ）などを配置する非眼鏡式（ａｕｔｏｓｔｅｒｅｏｓｃｏｐｉｃ）方法とがある。
【０００４】
シャッターガラス方式は、立体映像表示装置において左眼映像と右眼映像とが分離されて連続して出力され、シャッターガラスの左眼シャッター（ｌｅｆｔ  ｅｙｅ  ｓｈｕｔｔｅｒ）と右眼シャッター（ｒｉｇｈｔ  ｅｙｅ  ｓｈｕｔｔｅｒ）が選択的に開閉されることにより立体映像が表現される方法である。
【０００５】
シャッターガラス方式は、２Ｄモードや３Ｄモードへの切り換えが容易であり、それぞれのモードでのデータの損失はない。しかしながら、シャッターが開閉されるシャッターガラスを着用するため、立体映像表示装置及びその周りの輝度が低下することが懸念される。
【発明の概要】
【発明が解決しようとする課題】
【０００６】
本発明は、上記従来の問題点に鑑みてなされたものであって、本発明の目的は、輝度が改善された立体映像表示装置を提供することにある。
【課題を解決するための手段】
【０００７】
上記目的を達成するためになされた本発明の一特徴による立体映像表示装置は、左眼イメージデータと右眼イメージデータとが交互に入力される表示装置を備え、前記左眼イメージデータの入力区間前又は前記右眼イメージデータの入力区間前にホワイトイメージデータの入力区間が位置する。
前記立体映像表示装置は、左眼シャッター及び右眼シャッターを有するシャッター部材を更に備え、前記ホワイトイメージデータの入力区間と、前記左眼イメージデータの入力区間及び前記右眼イメージデータの入力区間とは、前記左眼シャッター及び前記右眼シャッターが閉じている区間に位置する。
前記左眼シャッターは前記左眼イメージデータの入力が完了してから、且つ前記右眼シャッターは前記右眼イメージデータの入力が完了してから第１の時間が経過した後に開く。
前記表示装置は液晶物質を更に含み、前記第１の時間は前記液晶物質の応答時間に基づいて設定される。
前記左眼イメージデータの入力区間と前記右眼イメージデータの入力区間との間において、前記左眼シャッター及び前記右眼シャッターのうちのいずれか一方が開いており、他方が閉じている。
前記表示装置は複数のゲート線及び複数のデータ線を更に備え、前記複数のゲート線のうちの少なくとも一部は第１の水平周期中にゲートオン電圧が印加され、前記複数のデータ線は前記ホワイトイメージデータに対応する電圧が印加される。
前記複数のゲート線のうちの少なくとも一部は第２の水平周期中にゲートオフ電圧が印加される。
前記複数のゲート線のうちのいずれか１本のゲート線は第３の水平周期中にゲートオン電圧が印加され、前記複数のデータ線は前記左眼イメージデータ又は前記右眼イメージデータに対応する電圧が印加される。
前記表示装置はゲート線及びゲート駆動部を更に備え、前記ゲート駆動部は基板上に集積される。
前記ゲート駆動部は、第１のスキャン開始信号線及び該第１のスキャン開始信号線に接続される第１のスイッチング素子を備える。
前記第１のスイッチング素子の入力電極及び制御電極は前記第１のスキャン開始信号線に接続され、前記第１のスイッチング素子の出力電極は前記ゲート線に接続される。
前記ゲート駆動部は、電圧信号線及び第２のスキャン開始信号線と、該電圧信号線及び第２のスキャン開始信号線に接続される第２のスイッチング素子とを備える。
前記第２のスイッチング素子の入力電極は前記電圧信号線に接続され、前記第２のスイッチング素子の制御電極は前記第２のスキャン開始信号線に接続され、且つ前記第２のスイッチング素子の出力電極は前記ゲート線に接続される。
前記ゲート駆動部は前記ゲート線の一端に接続される複数のステージを備え、前記ステージは、第１の入力端子、第２の入力端子、出力端子、及び伝達信号出力端子を備え、前記複数のステージのうちの少なくともいずれか一つの第１の入力端子は他のステージの伝達信号出力端子に接続され、出力端子は他のステージの第２の入力端子に接続される。
前記ステージは、入力部、プルアップ駆動部、プルダウン駆動部、出力部、及び伝達信号生成部を備える。
前記入力部、前記プルダウン駆動部、前記出力部、及び前記伝達信号生成部は第１のノードに接続される。
【０００８】
本発明による立体映像表示装置の駆動方法は、表示装置を備える立体映像表示装置において、前記表示装置に左眼イメージデータと右眼イメージデータとを交互に入力するステップと、前記表示装置への前記左眼イメージデータの入力と前記右眼イメージデータの入力との間にホワイトイメージデータを入力するステップと、を有する。
前記立体映像表示装置は、左眼シャッター及び右眼シャッターを有するシャッター部材を更に備える。
前記左眼シャッター及び前記右眼シャッターが閉じているとき、前記ホワイトイメージデータと、前記左眼イメージデータ及び前記右眼イメージデータとを入力する。
前記左眼イメージデータの入力が完了してから第１の時間が経過した後に前記左眼シャッターを開き、前記右眼イメージデータの入力が完了してから第１の時間が経過した後に前記右眼シャッターを開くステップを更に含む。
【発明の効果】
【０００９】
本発明の立体映像表示装置によれば、左眼映像又は右眼映像の入力の前にホワイトイメージデータを挿入することにより液晶の立ち上がり応答速度が速まり、これにより、左眼シャッター又は右眼シャッターが開いている時間を延ばすことができ、その結果、表示装置が明るく見える。更に、応答速度が速まるので、画面の下部においてもシャッターが開くまでのデータ電圧の充電時間を確保することができ、これにより、映像の動きブレ現象及びコントラスト低下現象を低減することができ、左眼映像と右眼映像との間のクロストーク現象を低減することができる。
【図面の簡単な説明】
【００１０】
【図１】本発明の一実施形態による立体映像表示装置の動作を示す概略図である。
【図２】図１の立体映像表示装置の信号波形を示すグラフである。
【図３】本発明の一実施形態による立体映像表示装置を概略的に示すブロック図である。
【図４】図３の立体映像表示装置の信号波形を示すグラフである。
【図５】本発明の一実施形態によるゲート駆動部を概略的に示すブロック図である。
【図６】図５のゲート駆動部のステージを示す回路図である。
【図７】図５のゲート駆動部の信号波形を示すグラフである。
【図８】本発明の他の実施形態による立体映像表示装置の動作を示す概略図である。
【図９】本発明の一実施形態による立体映像表示装置を概略的に示す図面である。
【図１０】本発明の一実施形態による立体映像表示装置の信号波形を示すグラフである。
【図１１】本発明の一実施形態による立体映像表示装置の動作を示す概略図である。
【発明を実施するための形態】
【００１１】
以下、図面に基づき、本発明の実施の形態について本発明が属する技術分野において通常の知識を有する者が容易に実施できるように詳しく説明する。本発明は、様々な異なる形態で実現することができ、ここで説明する実施の形態に何ら限定されない。図中、本発明を明確に説明するため、説明とは無関係な部分は省略し、明細書全般に亘って同一又は類似の構成要素に対しては同じ図面符号を付す。なお、広く知られている公知技術の場合、その具体的な説明は省略する。
【００１２】
図中、各種の層及び領域を明確に表現するために厚さを拡大して示す。明細書全般に亘って類似する部分に対しては同じ図面符号を付している。層、膜、領域、板などの部分が他の部分の「上」にあるとしたとき、これは他の部分の「直上」にある場合だけではなく、その中間に更に他の部分がある場合も含む。逆に、ある部分が他の部分の「直上」にあるとしたときには、中間に他の部分がないことを意味する。
【００１３】
以下、本発明の立体映像表示装置を実施するための形態の具体例を、図面を参照しながら詳述する。
【００１４】
図１は、本発明の一実施形態による立体映像表示装置の動作を示す概略図であり、図２は、図１の立体映像表示装置の信号波形を示すグラフであり、図３は、本発明の一実施形態による立体映像表示装置を概略的に示すブロック図であり、図４は、図３の立体映像表示装置の信号波形を示すグラフであり、図５は、本発明の一実施形態によるゲート駆動部を概略的に示すブロック図であり、図６は、図５のゲート駆動部のステージを示す回路図であり、図７は、図５のゲート駆動部の信号波形を示すグラフであり、図８は、本発明の他の実施形態による立体映像表示装置の動作を示す概略図であり、図９は、本発明の一実施形態による立体映像表示装置を概略的に示す図面であり、図１０は、本発明の一実施形態による立体映像表示装置の信号波形を示すグラフであり、そして図１１は、本発明の一実施形態による立体映像表示装置の動作を示す概略図である。
【００１５】
表示装置５０は、液晶表示装置、有機発光表示装置、プラズマ表示装置、電気泳動表示装置などであってもよい。以下、図１及び図９に基づき、表示装置５０が液晶表示装置である場合について説明する。
【００１６】
表示装置５０は表示パネル１００を備え、表示パネル１００は、上部基板と、下部基板と、上部基板と下部基板との間に封入されている液晶層と、を備える。表示パネル１００は、２つの電極の間に発生する電界により液晶の配向方向を変え、これにより光の透過量を調節して映像を表示する。
【００１７】
下部基板には、ゲート線Ｇ１〜Ｇｎと、データ線Ｄ１〜Ｄｍと、画素電極と、これらに接続された薄膜トランジスターＴｒｓｗと、が位置する。薄膜トランジスターは、ゲート線及びデータ線に印加される信号に基づいて画素電極に印加される電圧を制御する。画素電極は、透過領域及び反射領域を有する半透過型画素電極として形成されてもよい。また、保持容量キャパシターＣｓｔが更に形成されてもよく、このような保持容量キャパシターは画素電極に印加された電圧が所定時間維持されるようにする。例えば、一つの画素１０３は、薄膜トランジスターＴｒｓｗと、保持容量キャパシターＣｓｔ及び液晶キャパシターＣｌｃを備える。
【００１８】
下部基板と対向する上部基板には、ブラックマトリックス、カラーフィルター、及び共通電極が位置する。上部基板に形成されたカラーフィルター、ブラックマトリックス、及び共通電極のうちの少なくとも一つは下部基板に形成されてもよい。共通電極及び画素電極が両方とも下部基板に形成された場合には、両電極のうちの少なくとも一方は線状電極の形状に形成されてもよい。
【００１９】
液晶層は、ねじれネマティック（ＴＮ：Ｔｗｉｓｔｅｄ  ｎｅｍａｔｉｃ）モードの液晶、垂直配向（ＶＡ：ｖｅｒｔｉｃａｌｌｙ  ａｌｉｇｎｅｄ）モードの液晶、電界複屈折モード（ＥＣＢ：Ｅｌｅｃｔｒｉｃａｌｌｙ  ｃｏｎｔｒｏｌｌｅｄ  ｂｉｒｅｆｒｉｎｇｅｎｃｅ）モードの液晶などで構成されてもよい。
【００２０】
上部基板の外側面及び下部基板の外側面にはそれぞれ偏光板が取り付けられている。なお、基板と偏光板との間に補償フィルムが付設されてもよい。
【００２１】
バックライトユニットは光源を備え、光源の例としては、冷陰極管（ＣＣＦＬ：ｃｏｌｄ  ｃａｔｈｏｄｅ  ｆｌｕｏｒｅｓｃｅｎｔ  ｌａｍｐ）などの蛍光ランプ、ＬＥＤなどがある。なお、バックライトユニットは、反射板、導光板、輝度向上フィルムなどを更に備えていてもよい。
【００２２】
図９を参照すると、表示装置（ｄｉｓｐｌａｙ  ｄｅｖｉｃｅ）５０は、表示パネル（ｄｉｓｐｌａｙ  ｐａｎｅｌ）１００と、バックライトユニット２００と、データ駆動部４００と、ゲート駆動部５００と、イメージ信号処理部（ｉｍａｇｅ  ｓｉｇｎａｌ  ｐｒｏｃｅｓｓｏｒ）６１０と、ステレオ制御部（ｓｔｅｒｅｏ  ｃｏｎｔｒｏｌｌｅｒ）６２０と、フレーム変換制御部（ｆｒａｍｅ  ｃｏｎｖｅｒｓｉｏｎ  ｃｏｎｔｒｏｌｌｅｒ）６３０と、フレームメモリ（ｆｒａｍｅ  ｍｅｍｏｒｙ）６４０と、輝度制御部（ｌｕｍｉｎａｎｃｅ  ｃｏｎｔｒｏｌｌｅｒ）２１０と、階調電圧生成部８００などを備える。
【００２３】
ステレオ制御部６２０は、３Ｄタイミング信号（３Ｄ  ｔｉｍｉｎｇ  ｓｉｇｎａｌ）及び３Ｄイネーブル信号３Ｄ＿Ｅｎを輝度制御部２１０に伝送する。輝度制御部２１０は、バックライト制御信号（ｂａｃｋｌｉｇｈｔ  ｃｏｎｔｒｏｌ  ｓｉｇｎａｌ）をバックライトユニット２００に伝送する。バックライトユニット２００は、輝度制御部２１０及びステレオ制御部６２０を介してバックライト制御信号により点消灯される。バックライトユニット２００に伝送されるバックライト制御信号は、バックライトユニット２００を所定時間点灯させる。例えば、バックライトユニット２００に伝送されるバックライト制御信号は、垂直ブランクＶＢ中に又は垂直ブランク以外の時間中にバックライトユニットを点灯させる。
【００２４】
ステレオ制御部６２０は、３Ｄシンク信号３Ｄ＿ｓｙｎｃをシャッター部材３に伝送する。シャッター部材３はステレオ制御部６２０に電気的に接続される。例えば、シャッター部材３には、無線赤外線通信又は有線通信により３Ｄシンク信号３Ｄ＿ｓｙｎｃが伝送される。シャッター部材３は、３Ｄシンク信号３Ｄ＿ｓｙｎｃ又は変形された３Ｄシンク信号に応じて作動する。３Ｄシンク信号３Ｄ＿ｓｙｎｃは、左眼シャッター又は右眼シャッターを開閉する信号を全て含む。ステレオ制御部６２０は、ディスプレイデータＤＡＴＡと制御信号ＣＯＮＴ１、３Ｄ＿ＥＮをイメージ信号処理部６１０に伝送する。
【００２５】
イメージ信号処理部６１０は、表示パネル１００にイメージを表示するために、ゲート駆動部５００、データ駆動部４００、階調電圧生成部８００などを介して、様々な種類のディスプレイデータＤＡＴＡ’と様々な種類の制御信号ＣＯＮＴ２、ＣＯＮＴ３、ＣＯＮＴ４を表示パネル１００に伝送する。立体映像表示装置において、ディスプレイデータＤＡＴＡは、左眼映像データ、右眼映像データなどを含む。
【００２６】
フレーム変換制御部６３０は、ステレオ制御部６２０から３Ｄシンク信号３Ｄ＿Ｓｙｎｃを受信し、フレーム変換制御信号ＰＳＣ、ＢＩＣをイメージ信号処理部６１０、データ駆動部４００などに伝送する。
【００２７】
一方、図１を参照すると、シャッター部材３は、眼鏡型のシャッターガラス３０であってもよいが、特に図１の形態に限定されることはなく、機械式シャッター眼鏡（ゴーグル）、光学式シャッター眼鏡などであってもよい。シャッターガラス３０は、表示パネル１００と同調して、所定の周期で右眼シャッター３２、３２’と左眼シャッター３１、３１’が交互に光を遮断するように作動する。右眼シャッターは、閉状態（３２）であっても開状態（３２’）であってもよく、左眼シャッターは、開状態（３１）であっても閉状態（３１’）であってもよい。例えば、右眼シャッターが開状態の間に左眼シャッターは閉状態であり、逆に、左眼シャッターが開状態の間に右眼シャッターは閉状態である。加えて、左眼シャッター及び右眼シャッターが両方とも開状態のときもあり、或いは両方とも閉状態のときもある。
【００２８】
シャッターガラス３０のシャッターは、液晶表示装置、有機発光表示装置、電気泳動表示装置などに基づいて製作されるが、特にこれに限定されることはない。例えば、シャッターは、２枚の透明な導電膜と、これらの間に挟み込まれる液晶層と、を備える。導電膜の表面には偏光フィルムが位置する。シャッターに印加される電圧により液晶物質が回転し、その回転によりシャッターが開状態或いは閉状態となる。
【００２９】
例えば、表示パネル１００に左眼映像１０１、１０２が出力され、シャッターガラス３０の左眼シャッター３１は光が透過する開状態ＯＰＥＮとなり、右眼シャッター３２は光を遮断する閉状態ＣＬＯＳＥとなる。また、表示パネル１００に右眼映像１０１’、１０２’が出力され、シャッターガラス３０の右眼シャッター３２’は光が透過する開状態ＯＰＥＮとなり、左眼シャッター３１’は光を遮断する閉状態ＣＬＯＳＥとなる。このため、一定の時間中には左目によってしか左眼映像が認識されず、その次の一定の時間中には右目によってしか右眼画像が認識されず、結果として左眼映像と右眼映像との間の差により奥行き知覚を有する立体映像が認識される。
【００３０】
左目で認識される映像は、Ｎ番目のフレームＦ（Ｎ）において表示された画像、例えば、四角形（１０１）及び三角形（１０２）が距離αだけ離れている画像である。これに対し、右目で認識される映像は、Ｎ＋１番目のフレームＦ（Ｎ＋１）において表示された画像、例えば、四角形（１０１’）及び三角形（１０２’）が距離βだけ離れている画像である。このように両目で認識される画像間の離間距離が異なる場合、これにより、四角形及び三角形に互いに異なる距離感を有して四角形の後ろに三角形が離れていると認識することになって奥行き知覚を感じる。三角形及び四角形が離れている距離α及びβを調節することにより、両物体が離れていると感じる距離（奥行き知覚）を調節することができる。
【００３１】
図１を参照すると、表示パネル１００に点線で示した矢印方向は、ゲート線にゲートオン電圧が印加される順序を示す。即ち、表示パネル１００の上部ゲート線からゲートオン信号が印加されて下部のゲート線まで順次にゲートオン信号が印加される。
【００３２】
例えば、表示パネル１００は、左眼映像１０１、１０２を以下のように表示することができる。順次にゲート線にゲートオン電圧を印加して、当該ゲート線に接続された薄膜トランジスターを介して画素電極にデータ電圧が印加されるようにする。このとき、印加されるデータ電圧は、左眼映像１０１、１０２を表現するためのデータ電圧（以下、左眼データ電圧と称する。）であり、印加された左眼データ電圧は、保持容量キャパシターにより所定時間維持される。また、同じ方式により右眼映像１０１’、１０２’を表現するためのデータ電圧（以下、右眼データ電圧と称する。）が印加され、保持容量キャパシターにより所定時間維持される。
【００３３】
図２を参照すると、左眼イメージデータＬ１、Ｌ２と右眼イメージデータＲ１が交互に表示パネル１００に入力される。ここで、イメージデータとは、イメージ（映像又は画像）を表示パネル１００に出力するためにデジタル形式で表現されたものを意味する。左眼イメージデータが全て入力されて右眼イメージデータが入力される前に、或いは右眼イメージデータが全て入力されて左眼イメージデータが入力される前にイメージデータが入力されない時間があり、これを垂直ブランク（ＶＢ：ｖｅｒｔｉｃａｌ  ｂｌａｎｋ）と称する。垂直ブランクＶＢ中の少なくとも一部の時間中にシャッターガラス３０の左眼シャッター３１、３１’及び右眼シャッター３２、３２’のうちのいずれか一方は閉状態ＣＬＯＳＥに切り替わり、他方は開状態ＯＰＥＮを維持する。図中、左眼シャッター及び右眼シャッターのハッチング部分は閉状態ＣＬＯＳＥを意味する。なお、左眼イメージデータ又は右眼イメージデータが入力される区間において、シャッターガラス３０の左眼シャッター３１、３１’及び右眼シャッター３２、３２’は両方とも閉状態である。
【００３４】
左眼イメージデータ又は右眼イメージデータが入力される区間において、シャッターガラス３０の左眼シャッター３１、３１’及び右眼シャッター３２、３２’は両方とも閉状態であり、左眼イメージデータ又は右眼イメージデータが入力される前に、ホワイトイメージデータが入力される。例えば、図１を参照すると、右眼映像１０１’、１０２’が入力される前にホワイトイメージデータが先に入力される。例えば、ホワイトイメージデータが入力された後、右眼映像１０１’、１０２’が表示パネル１００の上から下へ向かって描かれる。
【００３５】
ホワイトイメージデータの入力区間と左眼イメージデータ又は右眼イメージデータの入力区間との間にブランク区間が存在してもよい。ホワイトイメージデータが入力されたとき、シャッターガラス３０の左眼シャッター３１、３１’及び右眼シャッター３２、３２’は両方とも閉状態であるため、ホワイトイメージは視認されない。ホワイトイメージデータが入力された後に左眼映像又は右眼映像が入力されると、表示装置の応答速度は液晶の立ち上がり時間（ｒｉｓｉｎｇ  ｔｉｍｅ）に依存するため応答速度が速まる。これにより、左眼シャッター３１、３１’又は右眼シャッター３２、３２’が開いている時間を延ばすことができ、その結果、表示装置が明るく見える。更に、応答速度が速まるので、画面の下部においてもシャッターが開くまでデータ電圧を充電する時間を十分に確保することができ、これにより、映像の動きブレ現象及びコントラスト低下現象を低減することができ、左眼映像と右眼映像との間のクロストーク（ｃｒｏｓｓｔａｌｋ）現象を低減することができる。ここで、表示パネル１００の作動方式によって、ホワイトイメージデータの代わりにブラックイメージデータが入力されてもよい（図８参照）。また、連続する２枚の映像のグレー（諧調）値が互いに類似する場合にも、連続する２枚の映像の間にホワイトイメージ又はブラックイメージが入力されるため、データ電圧の差が小さいことにより発生し得る応答速度の低下現象を防止することができ、これにより、映像の動きブレ現象及びコントラスト低下現象を低減することができ、左眼映像と右眼映像との間のクロストーク現象を低減することができる。
【００３６】
表示パネル１００が液晶表示装置である場合を想定すると、左眼イメージデータ又は右眼イメージデータが入力される前に液晶分子を殆ど横たわる状態（ｌｙｉｎｇ  ｈｅｌｉｘ  ｓｔａｔｅ）にするイメージデータが入力される。例えば、表示パネルがノーマリーホワイトモードのＴＮ型液晶表示パネル、ノーマリーブラックモードのＶＡ型液晶表示パネルなどである場合、ホワイトイメージデータが入力され、ノーマリーブラックモードのＴＮ型液晶表示パネル、ノーマリーホワイトモードのＶＡ型液晶表示パネルなどである場合、ブラックイメージデータが入力される。液晶分子が横たわる状態で左眼映像又は右眼映像が描かれるために、液晶分子が適当な角度で立ち上がる。一般に、液晶分子の立ち上がり時間はたち下がり時間（ｆａｌｌｉｎｇ  ｔｉｍｅ）よりも短いため、液晶分子が横たわっている状態で左眼映像又は右眼映像が描かれる場合には、液晶分子が立っている状態（ｓｔａｎｄｉｎｇ  ｈｅｌｉｘ  ｓｔａｔｅ）又は適当な角度で傾いている状態で映像が描かれる場合よりも速く映像が描かれる。映像がより速く描かれると、左眼シャッター３１、３１’又は右眼シャッター３２、３２’が開いている時間を延ばすことができるので、表示装置が一層明るく見える。
【００３７】
左眼イメージデータ又は右眼イメージデータの入力が完了してから所定の時間ｔ１が経過すると、左眼シャッター３１、３１’又は右眼シャッター３２、３２’は閉状態から開状態へと切り替わる。ｔ１は、表示パネル１００の液晶の応答時間に基づいて決められる。例えば、液晶の応答時間によって、右眼イメージデータＲ１の入力が完了してから右眼映像１０１’、１０２’が出力されるまでは所定の時間が必要となる。このため、ｔ１時間が経過した後、右眼シャッター３２、３２’を開いて完全な右眼映像１０１’、１０２’が視認され、前の映像によるクロストーク現象が防止される。具体的に、ＴＮ型液晶の立ち上がり時間は１．１ｍｓであり、立ち下がり時間は２．８ｍｓであり、垂直ブランクＶＢは２．７ｍｓであり、ｔ１は１．０ｍｓ以下である。ここで、液晶の応答時間が短縮されるほどｔ１時間も短縮する。例えば、左眼イメージデータ又は右眼イメージデータが入力される前に液晶分子を殆ど横たわる状態にするイメージデータが入力されると、映像が一層速く描かれるため、ｔ１時間が短縮される。
【００３８】
立体表示装置の信号波形の一例を挙げる。図１０を参照すると、最初のゲート線から最後のゲート線までゲートオン信号が順次に印加されて、右眼映像Ｒが順次に当該ゲート線に接続されている複数の画素に印加され、左眼映像Ｌが順次に当該ゲート線に接続されている複数の画素に印加される。ここで、右眼映像Ｒが順次に当該ゲート線に接続されている複数の画素に印加される間、右眼シャッターは開状態であり、左眼シャッターは閉状態である。なお、左眼映像Ｌが順次に当該ゲート線に接続されている複数の画素に印加される間、左眼シャッターは開状態であり、右眼シャッターは閉状態である。
【００３９】
右眼映像Ｒの入力区間と左眼映像Ｌの入力区間との間には所定の階調値を有するイメージが入力され、これを階調挿入（ｇｒａｙ  ｉｎｓｅｒｔｉｏｎ）という。例えば、表示パネルに右眼映像Ｒが表示された後、画面全体にブラック、ホワイトなどのイメージが表示され、次いで左眼映像Ｌが表示される。ここで、所定の階調値はブラック又はホワイトに限定されず、様々な値を有する。所定の階調値を有するイメージが表示パネルの画面全体に挿入されたとき、右眼映像と左眼映像との間のクロストークが防止され、立体映像表示装置の輝度が改善される。
【００４０】
ホワイトイメージ又はブラックイメージは、１枚の画面全体に入力されてもよく、１枚の画面の一部にのみ入力されてもよい。例えば、図１１を参照すると、水平に配列された複数のゲート線に上から下へ向かってゲートオン電圧が印加される場合、画面の下部にのみホワイトイメージを入力する。或いは、画面の下部にのみブラックイメージを入力する。例えば、表示パネルがノーマリーホワイトモードのＴＮ型液晶表示パネル、ノーマリーブラックモードのＶＡ型液晶表示パネルなどである場合にホワイトイメージデータが入力され、ノーマリーブラックモードのＴＮ型液晶表示パネル、ノーマリーホワイトモードのＶＡ型液晶表示パネルなどである場合にブラックイメージデータが入力される。Ｆ（Ｎ）フレームの左眼映像１０１、１０２の入力が完了した後、画面の下部にのみ同じ水平周期時間中にホワイトイメージが入力され、次いで、Ｆ（Ｎ＋１フレームの右眼映像１０１’、１０２’が入力される。
【００４１】
１枚の画面の一部にのみホワイトイメージ又はブラックイメージが入力される場合、次フレームの左眼映像又は右眼映像の応答速度を容易に制御することができ、映像補正を行ったときに画質歪みが発生することを低減することができる。例えば、画面の下部にのみホワイトイメージ又はブラックイメージが入力される場合、画面の上部とは異なり、次フレームの左眼映像又は右眼映像が入力されるまで画面の下部がホワイト又はブラックで完全に充電される時間があるため、ホワイトイメージ又はブラックイメージに基づいて応答速度を制御したり映像補正を行ったりすることにより画質歪みを低減することができる。
【００４２】
ここで、画面の下部ｇｈは、ゲートディレイを考慮して実験によって定められた値であってもよい。例えば、表示パネル１００が液晶表示パネルである場合、画面の下部ｇｈは縦解像度、液晶の応答速度、充電時間などに基づいて計算される。例えば、画面の下部ｇｈは下記式１により計算される。
【００４３】
［式１］
ｇｈ＝（縦解像度）×（液晶の応答速度）／（充電時間）
【００４４】
式中、液晶の応答速度は液晶の立ち下がり時間であり、充電時間は液晶表示パネルの駆動周波数及び縦解像度に基づいて定められた値である。具体的に、液晶表示パネルが１９２０×１０８０である場合、縦解像度は１０８０である。液晶の立ち下がり時間は２．８２ｍｓｅｃであり、充電時間は５．６３ｍｓｅｃである場合、画面の下部ｇｈは５４０となるため、画面の略１／２となる個所から下へ向かってホワイトイメージが入力される。
【００４５】
図３及び図４を参照すると、液晶分子を殆ど横たわる状態にするイメージデータを入力する方法としては、表示パネル１００の複数のゲート線にゲートオン電圧Ｖｏｎを印加し、複数のデータ線に共通電圧Ｖｃｏｍを印加する方法がある。例えば、全てのゲート線にゲートオン電圧Ｖｏｎを第１の水平周期１Ｈ中に印加し、このようなゲートオン電圧により全てのデータ線に共通電圧Ｖｃｏｍを印加する。この場合、ホワイトイメージ又はブラックイメージが出力される。或いは、画面の下部ｇｈに位置するゲート線にのみゲートオン電圧Ｖｏｎを印加してもよい。
【００４６】
次に、第２の水平周期２Ｈにゲートオフ電圧Ｖｏｆｆを印加し、第３の水平周期３Ｈ中に１回ゲート線Ｇ１にゲートオン電圧Ｖｏｎを印加し、水平周期４Ｈ中に２回ゲート線Ｇ２にゲートオン電圧Ｖｏｎを印加し、第５の水平周期５Ｈ中に３回ゲート線Ｇ３にゲートオン電圧Ｖｏｎを印加する。この場合、第３の水平周期３Ｈから左眼イメージデータ又は右眼イメージデータが入力され、左眼映像又は右眼映像が表示パネルの上から下へ向かって出力される。
【００４７】
図３を参照すると、表示装置は、表示板組立体３００と、これに接続されたゲート駆動部５００及びデータ駆動部４００と、データ駆動部４００に接続された階調電圧生成部８００と、これらを制御する信号制御部６００と、を備える。ゲート駆動部５００は、表示板組立体３００に実装されてもよく、独立したＩＣチップとして構成されてもよい。ゲート駆動部５００が表示板組立体３００に実装される場合、複数のゲート線はデータ金属層を介して接続されてもよく、ゲート金属層を介して接続されてもよく、静電ダイオードを介して接続されてもよい。ゲート駆動部５００が独立したＩＣチップとして構成される場合、ゲートＩＣチップから複数のゲート線へ同時にゲートオン電圧を印加してもよい。
【００４８】
表示板組立体３００は、複数の画素と、ゲート線Ｇ１〜Ｇｎ及びデータ線Ｄ１〜Ｄｍを備える。一つの画素にはスイッチング素子Ｔｒｓｗ、液晶キャパシターＣｌｃ及び保持キャパシターＣｓｔが含まれ、保持キャパシターＣｓｔは省いてもよい。
【００４９】
信号制御部６００は、外部のグラフィック制御器（図示せず）から入力映像信号Ｒ、Ｇ、Ｂ及びこれらの表示を制御する入力制御信号を受信する。入力制御信号の例としては、垂直同期信号Ｖｓｙｎｃと、水平同期信号Ｈｓｙｎｃと、メインクロックＭＣＬＫ及びデータイネーブル信号ＤＥなどがある。
【００５０】
信号制御部６００は、入力映像信号Ｒ、Ｇ、Ｂ及び入力制御信号に基づいて、入力映像信号Ｒ、Ｇ、Ｂを液晶表示板組立体３００の動作条件に合わせて適切に処理し、ゲート制御信号ＣＯＮＴ１及びデータ制御信号ＣＯＮＴ２などを生成した後、ゲート制御信号ＣＯＮＴ１をゲート駆動部５００に送出し、データ制御信号ＣＯＮＴ２及び処理済みの映像信号ＤＡＴをデータ駆動部４００に送出する。
【００５１】
ゲート制御信号ＣＯＮＴ１は、走査開始を指令するスキャン開始信号と、ゲートオン電圧Ｖｏｎの出力周期を制御する少なくとも一つのクロック信号と、を含む。また、ゲート制御信号ＣＯＮＴ１は、ゲートオン電圧Ｖｏｎの持続時間を限定する出力イネーブル信号を更に含む。
【００５２】
データ制御信号ＣＯＮＴ２は、一行の画素に対する映像データの伝送開始を報知する水平同期開始信号と、データ線Ｄ１〜Ｄｍにデータ信号を印加するためのロード信号及びデータクロック信号を含む。また、データ制御信号ＣＯＮＴ２は、共通電圧Ｖｃｏｍに対するデータ信号の電圧極性（以下、「共通電圧に対するデータ信号の電圧極性」を「データ信号の極性」と略称する。）を反転させる反転信号を更に含む。
【００５３】
信号制御部６００からのデータ制御信号ＣＯＮＴ２に基づき、データ駆動部４００は、一行の画素に対するデジタル映像信号ＤＡＴを受信し、各デジタル映像信号ＤＡＴに対応する階調電圧を選択することによりデジタル映像信号ＤＡＴをアナログデータ信号に変換した後、これを当該データ線Ｄ１〜Ｄｍに印加する。このとき、階調電圧は階調電圧生成部８００により生成される。
【００５４】
ゲート駆動部５００は、信号制御部６００からのゲート制御信号ＣＯＮＴ１に基づき、ゲートオン電圧Ｖｏｎをゲート線Ｇ１〜Ｇｎに印加し、該ゲート線Ｇ１〜Ｇｎに接続されたスイッチング素子Ｔｒｓｗをターンオンさせる。これにより、データ線Ｄ１〜Ｄｍに印加されたデータ信号がターンオンしたスイッチング素子Ｔｒｓｗを介して当該画素に印加される。
【００５５】
画素に印加されたデータ信号の電圧と共通電圧Ｖｃｏｍとの間の差は、液晶キャパシターＣｌｃの充電電圧、即ち画素電圧として現れる。液晶分子は画素電圧の大きさによりその配列を異にし、これにより、液晶層を通過する光の偏光が変化する。このような偏光の変化は、表示板組立体３００に付着された偏光子により光の透過率変化として現れる。
【００５６】
１水平周期（「１Ｈ」ともいい、水平同期信号Ｈｓｙｎｃ及びデータイネーブル信号ＤＥの一周期と同じである。）を単位としてこれらの過程を繰り返し行うことにより、全てのゲート線Ｇ１〜Ｇｎに対して順次にゲートオン電圧Ｖｏｎを印加して全画素にデータ信号を印加することで１フレームの映像を表示する。
【００５７】
１フレームが終わると次フレームが始まり、各画素に印加されるデータ信号の極性が前フレームの極性と反対となるようにデータ駆動部４００に印加される反転信号の状態が制御される（「フレーム反転」）。このとき、１フレーム内でも、反転信号の特性により、１データ線上を流通するデータ信号の極性が変わったり（行反転、点反転）、１画素行に印加されるデータ信号の極性が異なったりする（列反転、点反転）。
【００５８】
図５〜図７を参照すると、表示板組立体３００に実装されるゲート駆動部５００において、液晶分子を殆ど横たわる状態にするイメージデータを入力する方法が実現される。これに加えて、表示板組立体に実装されず、ゲートＩＣチップそのものにおいて液晶分子を殆ど横たわる状態にするイメージを入力する方法が実現されてもよい。
【００５９】
第１のスイッチング素子ＴＲ１は、第１のスキャン開始信号線ＳＴＶＰ１及びゲート線Ｇ１〜Ｇｎ＋１に接続されている。第１のスキャン開始信号線ＳＴＶＰ１は第１のスイッチング素子ＴＲ１の制御電極及び入力電極に接続され、第１のスイッチング素子ＴＲ１の制御電極及び入力電極は互いに接続され、第１のスイッチング素子ＴＲ１の出力電極はゲート線Ｇ１〜Ｇｎ＋１に接続されている。第１の水平周期１Ｈ中に第１のスキャン開始信号線ＳＴＶＰ１にゲートオン電圧Ｖｏｎが印加されると、第１のスイッチング素子ＴＲ１を介してゲート線Ｇ１〜Ｇｎ＋１にゲートオン電圧Ｖｏｎが印加される。
【００６０】
立体映像イネーブル信号が印加される区間において、第１のスキャン開始信号線ＳＴＶＰ１にゲートオン電圧Ｖｏｎが印加される。ここで、立体映像イネーブル信号は、左眼イメージデータ又は右眼イメージデータが入力される区間において印加される。
【００６１】
液晶キャパシターＣｌｃの充電率を考慮して、第１の水平周期１Ｈは適度に延長可能である。例えば、第１の水平周期１Ｈは第２の水平周期から第５の水平周期２Ｈ〜５Ｈよりも長くてもよい。
【００６２】
第２のスイッチング素子ＴＲ２は、電圧信号線Ｖｓｓと、第２のスキャン開始信号線ＳＴＶＰ２及びゲート線Ｇ１〜Ｇｎ＋１に接続されている。第２のスイッチング素子ＴＲ２の入力電極は電圧信号線Ｖｓｓに接続され、制御電極は第２のスキャン開始信号線ＳＴＶＰ２に接続され、出力電極はゲート線Ｇ１〜Ｇｎ＋１に接続されている。第２の水平周期２Ｈ中に第２のスキャン開始信号線ＳＴＶＰ２にオンパルスが印加されると、第２のスイッチング素子ＴＲ２がターンオンし、第２のスイッチング素子ＴＲ２を介して、電圧信号線Ｖｓｓに印加されたゲートオフ電圧Ｖｏｆｆがゲート線Ｇ１〜Ｇｎ＋１に印加され、これにより、ゲート線Ｇ１〜Ｇｎ＋１がリセットされる。
【００６３】
加えて、第１のスイッチング素子ＴＲ１及び第２のスイッチング素子ＴＲ２は複数のゲート線Ｇ１〜Ｇｎ＋１のうちの一部にのみ接続され、残りのゲート線には接続されていなくてもよい。この場合、第１の水平周期１Ｈ中に第１のスキャン開始信号線ＳＴＶＰ１にゲートオン電圧Ｖｏｎが印加されると、第１のスイッチング素子ＴＲ１に接続されているゲート線にのみゲートオン電圧Ｖｏｎが印加される。なお、第２の水平周期２Ｈ中に第２のスキャン開始信号線ＳＴＶＰ２にオンパルスが印加されると、第２のスイッチング素子ＴＲ２に接続されているゲート線にのみゲートオフ電圧Ｖｏｆｆが印加される。
【００６４】
図５を参照すると、ゲート駆動部５００は、それぞれ縦続接続されたシフトレジスタからなる多数のステージＳＲ１〜ＳＲｎ＋１を備える。各ステージＳＲ１〜ＳＲｎ＋１は、２つの入力端子ＩＮ１、ＩＮ２と、２つのクロック入力端子ＣＫ１、ＣＫ２と、ゲートオフ電圧に相当する低電圧（Ｖｓｓ）が印加される電圧入力端子Ｖｉｎと、リセット端子ＲＥと、出力端子ＯＵＴ及び伝達信号出力端子ＣＲｏｕｔを備える。
【００６５】
第１の入力端子ＩＮ１は、前段ステージの伝達信号出力端子ＣＲｏｕｔに接続されて前段ステージの伝達信号ＣＲが印加されるが、最初のステージは前段ステージを有さないため、第１の入力端子ＩＮ１にスキャン開始信号を印加する。
【００６６】
第２の入力端子ＩＮ２は、次段のステージの出力端子ＯＵＴに接続されて次段のゲート電圧が印加される。ここで、最後に形成されているｎ＋１番目のステージＳＲｎ＋１（ダミーステージ）の場合には次段のステージが存在しないため、第２の入力端子ＩＮ２にスキャン開始信号を印加する。
【００６７】
多数のステージのうちの奇数番目のステージの第１のクロック端子ＣＫ１には第１のクロックＣＫＶが印加され、第２のクロック端子ＣＫ２には反転された位相を有する第２のクロックＣＫＶＢが印加される。一方、偶数番目のステージの第１のクロック端子ＣＫ１には第２のクロックＣＫＶＢが印加され、第２のクロック端子ＣＫ２には第１のクロックＣＫＶが印加されて、奇数番目のステージと比較した場合、同じ端子に入力されるクロックの位相は反対となる。
【００６８】
電圧入力端子Ｖｉｎにはゲートオフ電圧が印加され、リセット端子ＲＥは最終段に位置するダミーステージＳＲｎ＋１の伝達信号出力端子ＣＲｏｕｔに接続されている。
【００６９】
ここで、ダミーステージＳＲｎ＋１は、他のステージ（ＳＲ１〜ＳＲｎ）とは異なり、ダミーゲート電圧を生成して出力するステージである。例えば、他のステージ（ＳＲ１〜ＳＲｎ）から出力されたゲート電圧は、ゲート線を介して伝達され、画素にデータ電圧が印加されて画像を表示するが、ダミーステージＳＲｎ＋１はゲート線に接続されないか、或いはゲート線に接続されたとしても画像を表示しないダミー画素（図示せず）のゲート線に接続されて画像を表示するのに使用されない。
【００７０】
図６を参照すると、この実施形態によるゲート駆動部５００の各ステージＳＲは、入力部５１０と、プルアップ駆動部５１１と、伝達信号生成部５１２と、出力部５１３及びプルダウン駆動部５１４を備える。
【００７１】
入力部５１０は一つのトランジスター（第４のトランジスターＴｒ４）を備え、第４のトランジスターＴｒ４の入力端子及び制御端子は第１の入力端子ＩＮ１と共通に接続（ダイオード接続）され、出力端子はＱ接点（以下、第１のノードともいう）に接続されている。入力部５１０は、第１の入力端子ＩＮ１にハイの電圧が印加された場合、これをＱ接点に伝達する役割を果たす。
【００７２】
プルアップ駆動部５１１は、２つのトランジスター（第７のトランジスターＴｒ７及び第１２のトランジスターＴｒ１２）と、２つのキャパシター（第２のキャパシターＣ２及び第３のキャパシターＣ３）と、を備える。先ず、第１２のトランジスターＴｒ１２の制御電極及び入力電極は共通接続されて、第１のクロック端子ＣＫ１を介してクロック信号ＣＫＶ、ＣＫＶＢが入力され、出力電極がプルダウン駆動部５１４に接続されている。そして、第７のトランジスターＴｒ７の入力電極も第１のクロック端子ＣＫ１を介してクロック信号ＣＫＶ、ＣＫＶＢが入力され、制御端子及び出力端子がプルダウン駆動部５１４に接続されている。ここで、第７のトランジスターＴｒ７の入力電極と制御電極との間に第２のキャパシターＣ２が接続され、第７のトランジスターＴｒ７の制御電極と出力電極との間には第３のキャパシターＣ３が接続されている。
【００７３】
伝達信号生成部５１２は、一つのトランジスター（第１５のトランジスターＴｒ１５）及び一つのキャパシター（第４のキャパシターＣ４）を備える。第１５のトランジスターＴｒ１５の入力電極には第１のクロック端子ＣＫ１を介してクロック信号ＣＫＶ、ＣＫＶＢが入力され、制御電極が入力部５１０の出力、即ちＱ接点に接続されている。第１５のトランジスターＴｒ１５の制御電極及び出力電極は第４のキャパシターＣ４に接続されている。伝達信号生成部５１２は、Ｑ接点での電圧及びクロック信号ＣＫＶ、ＣＫＶＢに基づいて伝達信号ＣＲを出力する。
【００７４】
出力部５１３は、一つのトランジスター（第１のトランジスターＴｒ１）及び一つのキャパシター（第１のキャパシターＣ１）を備える。第１のトランジスターＴｒ１の制御電極はＱ接点に接続されており、入力電極には第１のクロック端子ＣＫ１を介してクロック信号ＣＫＶ、ＣＫＶＢが入力される。第１のトランジスターＴｒ１の制御電極及び出力電極は第１のキャパシターＣ１に接続され、出力端子はゲート線Ｇ１〜Ｇｎに接続されている。出力部５１３は、Ｑ接点での電圧及びクロック信号ＣＫＶ、ＣＫＶＢに基づいてゲート電圧を出力する。
【００７５】
プルダウン駆動部５１４は、ステージＳＲ上に存在する電荷を除去してゲートオフ電圧を円滑に出力するためのものであり、Ｑ接点の電位を下げる役割及びゲート線に出力される電圧を下げる役割を果たす。プルダウン駆動部５１４は、９個のトランジスター（第２のトランジスターＴｒ２、第３のトランジスターＴｒ３、第５のトランジスターＴｒ５、第６のトランジスターＴｒ６、第８のトランジスターＴｒ８〜第１１のトランジスターＴｒ１１、及び第１３のトランジスターＴｒ１３）を備える。
【００７６】
先ず、第５のトランジスターＴｒ５、第１０のトランジスターＴｒ１０、及び第１１のトランジスターＴｒ１１は、前段ステージＳＲの伝達信号ＣＲが入力される第１の入力端子ＩＮ１と、ゲートオフ電圧に相当する低電圧が印加される電圧入力端子Ｖｉｎとの間に直列接続されている。第５及び第１１のトランジスターＴｒ５、Ｔｒ１１の制御端子には第２のクロック端子ＣＫ２を介してクロック信号ＣＫＶ、ＣＫＶＢが入力され、第１０のトランジスターＴｒ１０の制御端子には第１のクロック端子ＣＫ１を介してクロック信号ＣＫＶ、ＣＫＶＢが入力される。このとき、第１のクロック端子ＣＫ１及び第２のクロック端子ＣＫ２に入力されるクロック信号ＣＫＶ、ＣＫＶＢは互いに位相が異なる。また、第１１のトランジスターＴｒ１１と第１０のトランジスターＴｒ１０との間にはＱ接点が接続され、第１０のトランジスターＴｒ１０と第５のトランジスターＴｒ５との間には出力部５１３の第１のトランジスターＴｒ１の出力端子、即ちゲート線Ｇ１〜Ｇｎが接続されている。
【００７７】
一対のトランジスターＴｒ６、Ｔｒ９は、Ｑ接点と低電圧（Ｖｉｎ）との間に並列に接続されている。第６のトランジスターＴｒ６の制御端子にはリセット端子ＲＥを介してダミーステージの伝達信号ＣＲが印加され、第９のトランジスターＴｒ９の制御端子には第２の入力端子ＩＮ２を介して次段のステージのゲート電圧が入力される。
【００７８】
一対のトランジスターＴｒ８、Ｔｒ１３は、プルアップ駆動部５１１の２つのトランジスターＴｒ７、Ｔｒ１２の出力と低電位レベルＶｓｓ（Ｖｉｎ）との間にそれぞれ接続されている。第８及び第１３のトランジスターＴｒ８、Ｔｒ１３の制御端子は、出力部５１３の第１のトランジスターＴｒ１の出力端子、即ちゲート線Ｇ１〜Ｇｎと共通に接続されている。
【００７９】
最後に、一対のトランジスターＴｒ２、Ｔｒ３は出力部５１３の出力と低電位レベルＶｓｓ（Ｖｉｎ）との間に並列に接続されている。第３のトランジスターＴｒ３の制御端子はプルアップ駆動部５１１の第７のトランジスターＴｒ７の出力端子に接続され、第２のトランジスターＴｒ２の制御端子には第２の入力端子ＩＮ２を介して次段のステージのゲート電圧が入力される。
【００８０】
プルダウン駆動部５１４は、第２の入力端子ＩＮ２を介して次段のステージのゲート電圧が入力されると、第９のトランジスターＴｒ９を介してＱ接点の電圧を低電圧（Ｖｉｎ）に変えると共に、第２のトランジスターＴｒ２を介してゲート線に出力される電圧を低電圧（Ｖｉｎ）に変える役割を果たす。また、リセット端子ＲＥを介してダミーステージの伝達信号ＣＲが印加されると、第６のトランジスターＴｒ６を介して再びＱ接点の電圧を低電圧（Ｖｉｎ）に変える。なお、第１のクロック端子ＣＫ１に印加される電圧とは位相が異なる電圧が印加される第２のクロック端子ＣＫ２にハイの電圧が印加されると、第５のトランジスターＴｒ５を介してゲート線Ｇ１〜Ｇｎに出力される電圧を低電圧（Ｖｉｎ）に変える。
【００８１】
ステージＳＲに形成されているトランジスターＴｒ１〜Ｔｒ１３、Ｔｒ１５は、ＮＭＯＳトランジスターであってもよい。
【００８２】
ステージＳＲから出力されたゲート電圧はゲート線Ｇ１〜Ｇｎを介して伝達される。ゲート線Ｇ１〜Ｇｎは、回路的には、抵抗Ｒｐ及びキャパシターンスＣｐを有するものとして表示することができる。これらの値は１本のゲート線Ｇ１〜Ｇｎが全体的に有する値であり、表示領域の構造及び特性によって他の値を有してもよい。
【００８３】
以上、図面を参照しながら本発明の実施形態について詳細に説明したが、本発明は、上述の実施形態に限定されるものではなく、本発明の技術的範囲から逸脱しない範囲内で多様に変更実施することが可能である。
【符号の説明】
【００８４】
３    シャッター部材
３０  シャッターガラス、
３１、３１’    左眼シャッター
３２、３２’    右眼シャッター
５０    表示装置
１００    表示パネル
１０１、１０２    左眼映像
１０１’、１０２’    右眼映像
１０３    画素
２００    バックライトユニット
２１０    輝度制御部
３００    表示板組立体
４００    データ駆動部
５００    ゲート駆動部
５１０    入力部
５１１    プルアップ駆動部
５１２    伝達信号生成部
５１３    出力部
５１４    プルダウン駆動部
６００    信号制御部
６１０    イメージ信号処理部
６２０    ステレオ制御部
６３０    フレーム変換制御部
６４０    フレームメモリ
８００    階調電圧生成部
【図１】
2011164613.tif 000003
【図２】
2011164613.tif 000004
【図３】
2011164613.tif 000005
【図４】
2011164613.tif 000006
【図５】
2011164613.tif 000007
【図６】
2011164613.tif 000008
【図７】
2011164613.tif 000009
【図８】
2011164613.tif 000010
【図９】
2011164613.tif 000011
【図１０】
2011164613.tif 000012
【図１１】
2011164613.tif 000013